(57)【要約】【課題】支圧板の下方空間に対してグラウト材を隅々まで満遍なく確実に充填することができ、残留する空隙部を的確に解消することによりロックボルトの頭部に対する防錆効果の向上を図った使い勝手のよいグラウト充填用金具を提供する。【解決手段】グラウト充填用金具１にロックボルト３の頭部側に螺合可能な雌ネジ２を設け、かつ締付ナット１３に螺合可能な雄ネジ５を設けるとともに、内部に例えば前記雌ネジ２を兼用したグラウト材の注入路を設け、その注入路に連通した排出口７を介してグラウト材をロックボルト３の頭部側外周部に形成される空隙部へ充填する。【選択図】図９
2011012389.tif 000002
【特許請求の範囲】
【請求項１】
ロックボルトの頭部側に螺合可能な雌ネジを有し、かつ締付ナットに螺合可能な雄ネジを有するとともに、内部にグラウト材の注入路を有し、その注入路に連通した排出口を介してグラウト材をロックボルトの頭部側外周部に形成される空隙部へ充填するように構成したことを特徴とするグラウト充填用金具。
【請求項２】
前記ロックボルトの頭部側に螺合可能な雌ネジを、前記グラウト充填用金具を貫通させて形成するとともに、その雌ネジの途中に連通路を形成して前記排出口に連通し、前記雌ネジをグラウト材の注入路として兼用することを特徴とする請求項１に記載のグラウト充填用金具。
【発明の詳細な説明】
【技術分野】
【０００１】
本発明は、ロックボルト頭部の支圧板下方側の外周部へグラウト材を簡便かつ的確に充填し得るように改良し、ロックボルトの頭部に対する防錆処理技術の向上を図ったグラウト充填用金具に関する。
【背景技術】
【０００２】
図１９〜図２１はロックボルトの頭部に関する従来の施工例を示したものである。図１９は、斜面に形成した削孔１０１に対してロックボルト１０２を挿入し、そのロックボルト１０２と削孔１０１の内面との間にグラウト材１０３を注入して固化させた状態を例示したものである。図示のように、この状態においては、グラウト材１０３の上方に空隙部１０４が形成されることになる。そこで、図２０に示したように、その空隙部１０４に硬練りのモルタル１０５を詰めて支圧板の下方のロックボルトの頭部に対する防錆効果を期待する養生が広く行われている。しかしながら、そのモルタル１０５の後部に空隙部１０６が残留してしまうことが多く、この空隙部１０６が防錆効果を低下させる大きな要因になるといった厄介な技術的問題があった。また、図２１に示したように、支圧板１０７を設置して、上方へ露出したロックボルト１０２に締付ナット１０８を螺合して締付ける際には、その支圧板１０７とモルタル１０５の表面との不均一な接触状態や残留する空隙部１０６によってモルタル１０５や支圧板１０７にクラック１０９が入ることもあった。なお、モルタル１０５の表面を養生して支圧板１０７の下面との均一な接触状態を確保すれば、クラック１０９の低減にきわめて有効であるが、その養生には手間がかかりコストが嵩む要因にもなった。
【０００３】
そこで、非防錆性の鋼棒からなる一般的なロックボルト等のアンカー材の頭部側に対してステンレス鋼棒からなる頭部部材を螺着し、その頭部部材の一部を支圧板の上方へ突出して締付ナットにより締付け固定するように構成することにより、アンカー材の頭部に対して防錆効果を付与するという技術が開発されている（特許文献１）。しかしながら、この従来技術の場合には、前記頭部部材の材質が限定され、ステンレス鋼棒からなる高価な材料が必要とされるだけでなく、支圧板の下方の空隙部を解消することはできないことから、その空隙部に起因する、頭部部材の下部に連結される非防錆性の鋼棒からなるロックボルト等に対する防錆効果の低下の問題までは解決されなかった。
【先行技術文献】
【特許文献】
【０００４】
【特許文献１】特許第３９９８１８０号公報
【発明の概要】
【発明が解決しようとする課題】
【０００５】
本発明は、以上のような従来の技術的状況に鑑み、支圧板の下方に対してグラウト材を隅々まで満遍なく確実に充填することができ、残留する空隙部を的確に解消することによりロックボルトの頭部に対する防錆効果の向上を図った使い勝手のよいグラウト充填用金具を提供することを目的とするものである。
【課題を解決するための手段】
【０００６】
前記課題を解決するため、本発明に係るグラウト充填用金具は、ロックボルトの頭部側に螺合可能な雌ネジを有し、かつ締付ナットに螺合可能な雄ネジを有するとともに、内部にグラウト材の注入路を有し、その注入路に連通した排出口を介してグラウト材をロックボルトの頭部側外周部に形成される空隙部へ充填するように構成したことを特徴とする。なお、前記ロックボルトの頭部側に螺合可能な雌ネジを、前記グラウト充填用金具を貫通させて形成するとともに、その雌ネジの途中に連通路を形成して前記排出口に連通し、前記雌ネジをグラウト材の注入路として兼用するようにしてもよい。
【発明の効果】
【０００７】
本発明に係るグラウト充填用金具によれば、次の効果を得ることができる。
（１）支圧板から突出したグラウト充填用金具の内部に形成した注入路を介してロックボルトの頭部側外周部に形成される空隙部へグラウト材を充填するように構成したので、改めてグラウト材充填用の専用の注入路を形成することなく、グラウト材の充填が可能であるとともに、その支圧板から突出したグラウト充填用金具に対して締付ナットによる締付け作業が可能なことから、施工性が大幅に向上される。
（２）グラウト充填用金具の内部に形成した注入路を介して直接ロックボルト頭部の支圧板下方側の外周部に形成される空隙部の内部からグラウト材を充填することができるので、その空隙部の隅々まで満遍なくグラウト材を的確に充填することが可能であり、ロックボルト頭部の支圧板下方側外周部に残存する空隙部を確実に解消することができる。
（３）したがって、支圧板の下方のロックボルトの頭部側全体及びそのロックボルトの頭部側に装着されるグラウト充填用金具が、充填されたグラウト材によって的確に包まれ、空気との接触が確実に遮断されるので、きわめて有効な防錆効果が得られる。
（４）また、支圧板の下方の空隙部に対してグラウト材を簡便かつ的確に充填することができ、グラウト材が支圧板の下面の全面において密着した状態が容易に得られるので、その支圧板設置及びグラウト材充填作業の簡便化に有効であるとともに、締付ナットによる締付力に対しても支圧板の全面において的確に抵抗し得ることから従来のクラックの問題も解消できる。
【図面の簡単な説明】
【０００８】
【図１】本発明の実施例に係るグラウト充填用金具の装着前の状態を示した正面図である。
【図２】同グラウト充填用金具の装着状態を示した片側断面図である。
【図３】同グラウト充填用金具を示した正面図である。
【図４】同グラウト充填用金具を示した底面図である。
【図５】同グラウト充填用金具を示した縦断面図である。
【図６】本発明の実施例に係るグラウト充填用金具を適用する場合の施工手順を示した作業説明図である。
【図７】同施工手順を示した作業説明図である。
【図８】同施工手順を片側断面で示した作業説明図である。
【図９】同施工手順を片側断面で示した作業説明図である。
【図１０】同施工手順を片側断面で示した作業説明図である。
【図１１】他の適用場面における施工手順を片側断面で示した作業説明図である。
【図１２】同施工手順を片側断面で示した作業説明図である。
【図１３】同施工手順を片側断面で示した作業説明図である。
【図１４】締付ナットによる他の締付け方法を片側断面で示した作業説明図である。
【図１５】同締付け方法を片側断面で示した作業説明図である。
【図１６】同締付け方法を片側断面で示した作業説明図である。
【図１７】同締付け方法を片側断面で示した作業説明図である。
【図１８】他の実施例を示した片側断面図である。
【図１９】従来の施工手順を示した作業説明図である。
【図２０】従来の施工手順を示した作業説明図である。
【図２１】従来の施工手順を示した作業説明図である。
【発明を実施するための形態】
【０００９】
本発明に係るグラウト充填用金具は、ロックボルト側の具体的な構成に拘束されることはなく、種々の種類のロックボルトに対して広く適用することが可能である。また、そのグラウト充填用金具の材質に関しても特段の制約はなく、前記従来技術のようにステンレス棒鋼に限られるものではない。グラウト充填用金具のロックボルトの頭部側に形成される雌ネジは、そのグラウト充填用金具を貫通して形成し、グラウト材の注入路として兼用する形態でもよいし、有底状にグラウト充填用金具の途中まで形成し、その反対側にグラウト材の注入路を別個に形成する形態でもよい。また、その注入路に連通する排出口の設置数や設置部位は、グラウト材の充填のし易さなどに応じて自由な選定が可能である。なお、グラウト充填用金具に形成する締付ナットに螺合される雄ネジは、その余長の調整に十分な長さを有するものが望ましい。グラウト充填用金具の外周面の軸線方向全長に形成するようにしてもよい。
【実施例】
【００１０】
図１〜図５は本発明の実施例に係るグラウト充填用金具を示したものである。図１はグラウト充填用金具の装着前の状態を示した正面図であり、図２はそのグラウト充填用金具の装着状態を示した片側断面図である。図示のように、本実施例に係るグラウト充填用金具１の場合には、内部を貫通する雌ネジ２が形成されており、この雌ネジ２をロックボルト３の外周面に形成された雄ネジ４に螺合することにより、ロックボルト３の頭部側に連結し得るように構成されている。この雌ネジ２は、グラウト充填用金具１を貫通して形成されていることから、本実施例の場合には、グラウト材の注入路としても用いられる。因みに、この雌ネジ２をグラウト充填用金具１の途中まで形成し、その反対側に専用のグラウト材注入路を形成する形態も可能である。
【００１１】
図３はグラウト充填用金具１を示した正面図であり、図４はその底面図、図５は縦断面図である。図示のように、本実施例のグラウト充填用金具１の場合には、その外周面の地上側の上半部には締付ナットに螺合可能な雄ネジ５が形成され、地中側の下半部には複数のリブ６が形成されており、それらの雄ネジ５とリブ６との間の円周上にグラウト材の複数の排出口７が形成されている。また、図５の縦断面図に示したように、前記雌ネジ２の内部空間は連通路８を介して排出口７に連通され、それらの雌ネジ２の内部空間、連通路８、排出口７によりグラウト材の充填用流路が形成されている。なお、グラウト材との付着が十分確保できるなら、前記リブ６は設けなくてもよいし、さらに前記リブ６に替えてグラウト充填用金具１の外周面全長に雄ネジ５を形成することも可能である。
【００１２】
次に、図６〜図１０に従い、本発明の実施例に係る前記グラウト充填用金具１を適用する場合の施工手順に関して説明する。図６に示したように、斜面からなる地盤９に形成した削孔１０の内部にロックボルト３が設置された場合には、先ず前記ロックボルト３の外周面に形成した雄ネジ４の頭部側端部に対してグラウト充填用金具１の雌ネジ２を螺合し、そのグラウト充填用金具１の地盤９から突出する突出部分の長さを、支圧板の厚さや締付ナットの設置に必要な余長分を勘案しながら調整する。
【００１３】
次に、図７に示したように、地盤９に形成した削孔１０とグラウト充填用金具１との間の間隙部へ適宜方法によりセメントミルクなどのグラウト材１１を注入する。これにより、図示のように、グラウト充填用金具１の一部がグラウト材１１中に埋り、そのグラウト充填用金具１の下半部に形成した一部のリブ６もグラウト材１１中に埋ることになる。したがって、このグラウト材１１の固化によりグラウト充填用金具１の回転が防止される。因みに、このグラウト材１１の注入時期に関しては、施工形態により変更も可能である。
【００１４】
さらに、図８に示したように、地盤９上に削孔１０の上部を閉塞するように支圧板１２を設置し、その支圧板１２の中央部に形成した挿通孔を介して上方へ突出したグラウト充填用金具１の頭部側端部に対して締付ナット１３を螺合して締付け作業が行われる。しかる後、図９に示したように、グラウト充填用金具１の内部に形成した雌ネジ２の内部空間をグラウト材の注入路として兼用し、前記連通路８と排出口７を介して支圧板１２の下方の、先に注入された前記グラウト材１１の上方に形成されるロックボルト３の頭部側外周部の空隙部に対してグラウト材１４を充填する。しかして、本実施例に係るグラウト充填用金具１の場合には、前記排出口７の設置位置や設置数を適宜選定することにより、削孔１０内でロックボルト３の頭部側外周部に形成される前記空隙部の内部へ直接的にグラウト材１４を注入でき円滑な充填が可能なことから、その空隙部の隅々まで満遍なくグラウト材１４を簡便かつ的確に充填することが可能である。その結果、支圧板１２の下方に位置するロックボルト３の頭部側やグラウト充填用金具１がグラウト材１１，１４によって確実に包囲され空気との接触が遮断されるので、的確な防錆効果を簡便に確保することができる。図１０はそのグラウト材１４の充填後の状態を示したものである。因みに、前記支圧板１２としては、図示のような平板状のものに限らず、種々の形態のものに適応可能である。
【００１５】
以上のように、本発明の実施例に係るグラウト充填用金具１を適用した場合には、グラウト充填用金具１をロックボルト３の頭部側に螺合して連結するだけでグラウト材１４を注入する充填用流路が同時に備えられ、その充填用流路のための新たな設置作業を省略できることから、グラウト材１４の充填作業の作業性が大幅に向上される。しかも、グラウト充填用金具１の内部に形成されたグラウト材の注入路を経て、ロックボルト３の頭部側外周部に形成される空隙部の内部からグラウト材１４をより円滑に注入できるので、その空隙部の隅々まで満遍なくグラウト材１４を簡便かつ的確に充填することが可能であり、延いてはロックボルト３の頭部側やグラウト充填用金具１に対する的確な防錆効果が得られる。したがって、このグラウト充填用金具１の材質に関し、前記従来技術のようにステンレス棒鋼に限定する必要もない。
【００１６】
図１１〜図１３は他の適用場面における施工手順を片側断面で示した作業説明図である。図示のように、この適用場面では、前記地盤９に形成した削孔１０の上部が崩れて凹部１５が形成され、空隙部が大きくなった場合に対して前記グラウト充填用金具１を適用した場合を例示したものであり、その施工手順に関しては上述の施工手順と異なるところはなく、上述の施工手順がそのまま適用されることになる。このように、本発明に係るグラウト充填用金具は、種々の形態の空隙部に対応してグラウト材を簡便かつ的確に充填して空隙部を確実に解消することができる。
【００１７】
なお、上述の実施例においては、図８に示したように、締付ナット１３による締付け作業を行う際には、グラウト充填用金具１の一部がグラウト材１１中に埋り回転が阻止された状態にあり、締付ナット１３の締付力によるグラウト充填用金具１の供回りは防止されるが、グラウト充填用金具１の全体がグラウト材１１の外方に位置する場合など、当該施工形態によっては、グラウト充填用金具１の供回りの問題が生じる場合がある。図１４〜図１７はそのような場合にグラウト充填用金具１の供回りを防止するための他の締付け方法を片側断面で示した作業説明図である。
【００１８】
しかして、地盤９に形成された削孔１０の内部にロックボルト３が設置され、そのロックボルト３の頭部側に対してグラウト充填用金具１が装着され、削孔１０の上部に支圧板１２が設置されるとともに、支圧板１２から上方へ突出するグラウト充填用金具１の突出長さの調整が済んだ場合には、締付ナット１３による仮締め作業が行われることになる。その際の締付ナット１３とグラウト充填用金具１との供回りを防ぐ締付け方法として、次のような手法が可能である。先ず、図１４に示したように、ロックボルト３と同様の構成で短尺の部材からなるトルク導入治具１６をグラウト充填用金具１の雌ネジ２に螺入して締め込む。これにより、ロックボルト３、グラウト充填用金具１及びトルク導入治具１６が一体化され、ロックボルト３に対するグラウト充填用金具１の相対的回転が防止された状態が得られる。そこで、次に図１５に示したように、締付ナット１３を支圧板１２の上方からグラウト充填用金具１の雄ネジ５に螺合し、図１６のように締付けてもグラウト充填用金具１の供回りが防止されるので、締付ナット１３を簡便かつ的確に締付けることができる。しかる後、図１７に示したように、トルク導入治具１６をグラウト充填用金具１の雌ネジ２から取外すことにより締付け作業が完了することになる。
【００１９】
図１８は他の実施例を示した片側断面図である。本実施例は、前記支圧板１２の下面に凹部を形成して適宜のパッキン１７を嵌入したものであり、そのパッキン１７により地盤９と支圧板１２との間からグラウト材が外部へ流出しないように構成したものである。これにより、グラウト充填用金具１の内部に形成した雌ネジ２などからなるグラウト材の注入路を介して、支圧板１２の下方のロックボルト３の頭部側やグラウト充填用金具１の外周部に形成される空隙部に対してグラウト材１４を充填する際の、グラウト材１４の外部への流出が効果的に防止され、前記空隙部の隅々までグラウト材１４をより的確に充填することができる。
【符号の説明】
【００２０】
１：グラウト充填用金具、２：雌ネジ、３：ロックボルト、４，５：雄ネジ、６：リブ、７：排出口、８：連通路、９：地盤、１０：削孔、１１：グラウト材、１２：支圧板、１３：締付ナット、１４：グラウト材、１５：凹部、１６：トルク導入治具、１７：パッキン
【図１】
2011012389.tif 000003
【図２】
2011012389.tif 000004
【図３】
2011012389.tif 000005
【図４】
2011012389.tif 000006
【図５】
2011012389.tif 000007
【図６】
2011012389.tif 000008
【図７】
2011012389.tif 000009
【図８】
2011012389.tif 000010
【図９】
2011012389.tif 000011
【図１０】
2011012389.tif 000012
【図１１】
2011012389.tif 000013
【図１２】
2011012389.tif 000014
【図１３】
2011012389.tif 000015
【図１４】
2011012389.tif 000016
【図１５】
2011012389.tif 000017
【図１６】
2011012389.tif 000018
【図１７】
2011012389.tif 000019
【図１８】
2011012389.tif 000020
【図１９】
2011012389.tif 000021
【図２０】
2011012389.tif 000022
【図２１】
2011012389.tif 000023